(57)【特許請求の範囲】
【請求項１】
居住のための避難エリア及び生活のために必要なエリアである、避難所における区画の自動設計及び避難者配置の自動化システムであって、
避難所形状の寸法、避難所の東西南北の出入り口の数及び寸法を含む避難所形状に関する数値の入力を受け付け、前記数値に基づき避難所形状を図面化し、
避難者ひとりあたりの確保面積、通路の確保有無と寸法、介護・救護・受付等避難所に必要な各スペースの位置や寸法を含むレイアウト情報に関する数値の入力を受け付け、
当該レイアウト情報に関する数値と前記避難所形状に関する数値に基づき、避難所のレイアウトを自動的に設計し、
避難者情報の入力を受け付け、当該避難者情報を前記レイアウトに自動的に配置する、
機能を備える自動化システム。
【発明の詳細な説明】
【技術分野】
【０００１】本発明は、災害時等の避難所の設計・配置の自動化及び避難物資の共有化・避難者検索のシステムに関する。
【背景技術】
【０００２】各自治体では「避難所マニュアル」や「避難所ガイドライン」等の紙ベースのものが存在している。
従来においては、災害発生時あるいはそれが予測される場合、それらをもとに人の脳と計算機などを使い、居住用スペースや生活に必要な区画を設計し、避難者の配置も人力で行っていた。【０００３】また、食料や生活物資などは、何らかの通信手段で本部とやり取りを行い、本部経由で補給を行う形式である。【０００４】業務内容も「避難所マニュアル」や「避難所ガイドライン」等に文中記載され、各様式も巻末にあるのが一般的である。
【発明の概要】
【発明が解決しようとする課題】
【０００５】しかしながら、避難時においては、個人レベルでも集団としてもかなりの混乱状態が予想され、正確性・迅速性に欠ける。【０００６】物資などは、自らの避難所と本部では数量を把握できるが、他会場では不足あるいは余分に存在している可能性がある。また、避難者を探す際、本人と連絡がとれる、あるいは位置情報等がない場合、捜索者は、各避難所を自力で廻らなければならない。【０００７】業務内容等も混乱時に読み、避難所内のチームで確認していたのでは正確性・迅速性に欠ける。
【課題を解決するための手段】
【０００８】上記の課題を解決するために、本発明は、
▲１▼予め避難所の形状（寸法等）をシステムに入力。
▲２▼ひとり当たりの確保面積や通路幅、受付やその他救護スペースなどの必要面積等を数値入力。
▲３▼以上を考慮し、最善、最適の避難所レイアウトをシステムが導き出す。
▲４▼最低限の避難者リストをユーザーが入力。
▲５▼入力後、自動で避難者を（世帯を基本に）配置。
からなるシステムである。【０００９】また、物資情報及び避難者情報は、本部のデータベースに数量等を格納することで、他会場の情報も瞬時に取得できる。それにより、会場同士の物資輸送も可能になり、大幅な効率化が実現できる。【００１０】業務内容などもチェック形式でシステム内に置くことで、印刷後すぐにすべきことがわかり、諸様式もすぐに印刷し、対応できる。
【発明の効果】
【００１１】本発明は、コンピュータとシステム（ソフトウェア）の協働で、災害等の混乱時にも正確で、しかも迅速にレイアウト設計、避難者配置設計が可能となる。【００１２】また、エリア内の情報を共有することで、物資情報・避難者情報を瞬時に取得し、物資輸送の避難活動に対応できる。【００１３】業務内容もすぐに理解でき、チーム内・チーム間での効率化が図れ、避難活動・支援活動の効果が増す。
【発明を実施するための形態】
【００１４】図１に発明を実施するための（ソフトウエア）フローチャートを示す。
▲１▼難所形状入力では、避難所形状の寸法、東西南北の出入り口の数や寸法、ステージやトイレなど隣接するスペースの方向や寸法などを数値入力。
▲２▼避難所形状図面化では、▲１▼で入力した数値をもとに図面化の処理を行う。
▲３▼レイアウト情報入力では、避難会場内のレイアウトを作成するための数値入力を行う。
ひとり当たりの確保面積、通路の確保有無と寸法の入力。また、介護や救護・受付などの各スペースの位置や寸法の入力。
▲４▼レイアウト図作成では、▲１▼と▲３▼の情報をもとに避難所全体図と具体図を避難者の居住区、各スペースの配置などを考慮し、最善・最適のレイアウトで設計図として提案する。
▲５▼避難者情報入力では、最低限の避難者情報を入力する。
氏名・年齢・性別・世帯主氏名・要介護・外国人（旅行者）・持病や特殊事情などの特記事項。
▲６▼難者配置図作成では、▲５▼の情報をもとに▲４▼に自動配置を行う。
ただし、条件的に変更したい場合は、手作業で配置替えを行うことができる。
▲７▼結果として、▲６▼の結果を画面上、紙面上に表示する。
【実施例】
【００１５】本発明の実施例を説明する。
避難所形状及びレイアウトのデータを入力後、コンピュータとプログラムの協働により、［図２］のレイアウト全体図を描画し、［図３］の配置図を最善・最適なレイアウトとして導き出し、ユーザーに提案する。また、その際の寸法も出力する［図４］。
そのレイアウトで良ければ、入力済の避難者リストより避難者を個々のスペースに自動で配置する［図５］。［図６］は、［図５］の一部を拡大して、見やすくしたものである。
本部にデータベースを置き、ＳＱＬで物資情報、避難者情報を入れる。同時に他の避難会場データも取得でき、会場間での物資のやり取りに役立つ。そのための情報結果の一部を［図７］に示す。
［図８］には、システム内に格納された業務内容、チェックシートの一部を示す。これにより業務内容が簡潔・明確に表現できる。
また、［図９］には諸様式の一部を示す。それにより迅速に様式を取り出すことができる。
【図面の簡単な説明】
【００１５】
【図１】  発明を実施するための（ソフトウエア）フローチャートを示す。
【図２】  レイアウト全体図の自動描画結果を示す。
【図３】  居住区の最善・最適な状況を導き出した結果の配置図を示す。
【図４】  ［図３］をもとにした寸法一覧。
【図５】  ［図３］のレイアウト配置図に避難者を自動配置した結果を示す。
【図６】  ［図５］の一部を拡大して見やすくしたものを示す。
【図７】  他会場の物資情報取得後の一覧の一部を示す。
【図８】  システム内に簡潔にまとめられた業務内容画面（印刷）を示す。
【図９】  システム内に入れておく諸様式の一部を示す。
【要約】
【課題】本発明は、避難所の開設にあたり、最善・最適なレイアウトを導き出し、正確しかも迅速に避難者を配置することを目的とする。
また、避難物資の共有化及び避難者検索、業務内容等のシステム化で、避難所活動を支援することも目的とする。
【解決手段】コンピュータとソフトウェアシステムに簡単な避難所形状、レイアウト情報、避難者情報を入力することで、その状況から最善・最適なレイアウトを導き出し、正確しかも迅速に避難者を配置する。
また、避難物資情報、避難者情報の共有化により迅速な対応ができる。
同時に業務内容、様式のシステム化で簡潔に理解でき、作業効率も上がる。
【選択図】図１【図１】
0005858352.tif 000002
【図２】
0005858352.tif 000003
【図３】
0005858352.tif 000004
【図４】
0005858352.tif 000005
【図５】
0005858352.tif 000006
【図６】
0005858352.tif 000007
【図７】
0005858352.tif 000008
【図８】
0005858352.tif 000009
【図９】
0005858352.tif 000010